(57)【特許請求の範囲】
【請求項１】
パチンコ遊技機の電源を供給する電源供給手段と、
前記電源の投入時に初期化命令を実行させるための初期化信号を出力する電源監視手段と、
パチンコ遊技機の種々の動作を行なうための命令信号を出力する主演算処理手段と、前記主演算処理手段より出力される所定信号に基づいて、前記主演算処理手段の動作の正否を監視し、監視結果に基づいて前記初期化信号を出力する主演算処理監視手段と、前記電源監視手段又は前記主演算処理監視手段より出力される前記初期化信号に基づいて、前記主演算処理手段を初期化する主演算初期化手段と、を備えた主制御手段と、
前記命令信号に応じてパチンコ球を払い出す賞球払出装置を制御する副演算処理手段と、前記副演算処理手段より出力される所定信号に基づいて、前記副演算処理手段の動作の正否を監視し、監視結果に基づいて前記初期化信号を出力する副演算処理監視手段と、前記電源監視手段又は前記副演算処理監視手段より出力される前記初期化信号に基づいて、前記副演算処理手段を初期化する副演算初期化手段と、を備えた副制御手段と、
前記命令信号に応じた前記副演算処理手段の前記賞球払出装置に対する制御によるパチンコ球の払い出しを検出し、検出信号を前記主演算処理手段に出力するスイッチと、
を備え、
前記主演算処理手段は、前記スイッチから出力される検出信号に基づいて、前記命令信号に応じた前記副演算処理手段による制御を監視する処理を行い、前記副演算処理手段は、前記主演算処理監視手段より出力される初期化信号に基づいて、前記副演算処理手段による制御を一時中断し、前記主演算処理手段の初期化の終了と共に、前記副演算処理手段による制御を再開することを特徴とするパチンコ遊技機の制御装置。
【請求項２】
前記電源監視手段より出力される初期化信号の出力タイミングを、前記主演算初期化手段への出力タイミングと前記副演算初期化手段への出力タイミングとで調整するタイミング調整手段をさらに備えることを特徴とする請求項１に記載のパチンコ遊技機の制御装置。
【請求項３】
前記タイミング調整手段は、前記副演算初期化手段への前記出力タイミングよりも前記主演算初期化手段への前記出力タイミングが遅れるようにタイミングを遅延する遅延手段からなることを特徴とする請求項２に記載のパチンコ遊技機の制御装置。
【請求項４】
前記主演算処理手段は、前記スイッチからの検出信号に基づいて賞球数の監視制御を行うことを特徴とする請求項１乃至請求項３の何れか１項に記載のパチンコ遊技機の制御装置。
【発明の詳細な説明】
【０００１】
【発明の属する技術分野】
本発明は、パチンコ遊技機の制御装置にかかり、特に、誤動作発生を正常動作に復帰させるためのパチンコ遊技機の制御装置に関する。
【０００２】
【従来の技術】
近年の電子回路集積技術の向上に伴い、マイクロコンピュータ関連の電子部品はあらゆる分野に普及している。これらの電子部品は極めて高い密度で集積してあるため、小さな環境変化が前記電子部品、特にマイクロコンピュータに大きな影響を与え、暴走、ループ減少などの誤動作を発生させる。そこで、マイクロコンピュータには通常環境の使用における上記誤動作の対策を施してある。
【０００３】
例えば、特開平１０−２４９０３２号公報に記載の技術では、表示基板内にＣＰＵ及び監視回路を設け、監視回路によって、ＣＰＵからのウォッチドッグタイマパルスが途絶するか、あるいは周期が変化すると、ＣＰＵに入力するリセット信号のレベルをローからハイに変化させてＣＰＵをリセットスタートさせ、何らかの理由でＣＰＵが暴走しても、監視回路からのリセット信号によってＣＰＵをリセットすることが提案されている。
【０００４】
また、特許第２８３２５９９号に記載の技術では、正否信号が所定時間（１０ｍｓ）より長い時間入力されないときのみ、制御基板内に設けられた演算監視手段によって、演算処理手段のリセット端子にリセット信号を入力し、リセット端子に接続された電源電圧監視手段により電源電圧が所定値から外れたときに、リセット信号をリセット端子に入力することにより、電源投入時、電圧降下時またはＣＰＵの暴走時等に演算処理手段を初期化することが提案されている。
【０００５】
【発明が解決しようとする課題】
しかしながら、従来のパチンコ遊技機の制御装置では、複数基板の各々にＣＰＵが設けられているとき、各制御基板内部に個別に電源電圧監視手段を設けると、リセットを行なうに際して各制御基板毎にリセットタイミングがばらつく可能性がある。主制御基板と図柄表示基板を例にとると、監視回路内の素子のばらつきにより主制御基板のリセットパルスのタイミングがばらつき、そのため図柄表示基板よりも先にリセット解除される可能性がある。この場合には、先ず主制御基板は図柄表示基板へ初期コマンドを送信する。ところが図柄表示基板がまだリセット期間中であるためこのコマンドを受信することができずに取りこぼしてしまう事態が考えられる。
【０００６】
そこで、電源電圧監視回路を各制御基板から独立させ共通にする（例えば、共通電源内部に設け、そこから一括にリセット信号を出力する）といった対応策が考えられるが、単に電源電圧監視回路を独立させ共通にするだけでは、各制御基板のＣＰＵの暴走監視を独立に行なうことが難しい、という問題がある。
【０００７】
本発明は、上記問題を解決すべく成されたもので、電源投入時の各制御基板の初期化タイミングがずれることなく、各制御手段を個別に初期化することができると共に、各制御手段における演算処理手段の誤動作に即座に対応することができるパチンコ遊技機の制御装置を提供することを目的とする。
【０００８】
【課題を解決するための手段】
上記目的を達成するために請求項１に記載の発明は、パチンコ遊技機の電源を供給する電源供給手段と、前記電源の投入時に初期化命令を実行させるための初期化信号を出力する電源監視手段と、パチンコ遊技機の種々の動作を行なうための命令信号を出力する主演算処理手段と、前記主演算処理手段より出力される所定信号に基づいて、前記主演算処理手段の動作の正否を監視し、監視結果に基づいて前記初期化信号を出力する主演算処理監視手段と、前記電源監視手段又は前記主演算処理監視手段より出力される前記初期化信号に基づいて、前記主演算処理手段を初期化する主演算初期化手段と、を備えた主制御手段と、前記命令信号に応じてパチンコ球を払い出す賞球払出装置を制御する副演算処理手段と、前記副演算処理手段より出力される所定信号に基づいて、前記副演算処理手段の動作の正否を監視し、監視結果に基づいて前記初期化信号を出力する副演算処理監視手段と、前記電源監視手段又は前記副演算処理監視手段より出力される前記初期化信号に基づいて、前記副演算処理手段を初期化する副演算初期化手段と、を備えた副制御手段と、前記命令信号に応じた前記副演算処理手段の前記賞球払出装置に対する制御によるパチンコ球の払い出しを検出し、検出信号を前記主演算処理手段に出力するスイッチと、を備え、前記主演算処理手段は、前記スイッチから出力される検出信号に基づいて、前記命令信号に応じた前記副演算処理手段による制御を監視する処理を行い、前記副演算処理手段は、前記主演算処理監視手段より出力される初期化信号に基づいて、前記副演算処理手段による制御を一時中断し、前記主演算処理手段の初期化の終了と共に、前記副演算処理手段による制御を再開することを特徴としている。
【０００９】
請求項１に記載の発明によれば、パチンコ遊技機の電源供給は、電源供給手段によって行なわれる。この時、電源の投入時には、電源監視手段により初期化命令を実行させるための初期化信号が出力される。
【００１０】
また、主制御手段における主演算処理手段では、パチンコ遊技機の種々の動作を行なうための命令信号が出力される。すなわち、主演算処理手段によって、パチンコ遊技機の種々の動作が統括制御される。
【００１１】
そして、主制御手段の主演算処理監視手段では、主演算処理手段より出力される所定信号に基づいて主演算処理手段の動作が監視され、監視結果に基づいて初期化命令を実行させるための初期化信号が出力される。例えば、主演算処理手段より定期的に出力される信号を主演算処理監視手段によって監視し、定期的に出力される信号が途絶えたり、間延びしたりした場合に、初期化信号を出力することによって主演算処理手段の正否を監視することが可能である。
【００１２】
また、主制御手段の主演算初期化手段では、電源監視手段または主演算処理監視手段より出力される初期化信号に基づいて、主演算処理手段が初期化される。すなわち、電源投入時や主演算処理手段が正常に機能しない時には、主演算処理手段が初期化される。
【００１３】
副制御手段では、主演算処理手段より出力される命令信号に応じてパチンコ球を払い出す賞球払出装置が制御される。なお、主演算処理手段より出力される命令信号に基づいて、副演算処理手段によって、装飾ランプの制御、効果音の制御、パチンコ球の発射制御、パチンコ球の払出制御等のパチンコ遊技機の種々の動作を制御するようにしてもよい。
【００１４】
そして、副制御手段の副演算処理手段では、主制御手段と同様に、副演算処理手段より出力される所定信号に基づいて副演算処理手段の動作が監視され、監視結果に基づいて初期化命令を実行させるための初期化信号が出力され、副制御手段の副演算初期化手段で、電源監視手段または副演算監視手段より出力される初期化信号に基づいて、副演算処理手段が初期化される。すなわち、副制御手段においても、電源投入時や副演算処理手段が正常に機能しない時には、副演算処理手段が初期化される。
【００１５】
従って、電源監視手段を各制御手段（主制御手段及び副制御手段）から独立させて共通とすることにより、各制御手段の電源投入時の初期化タイミングのばらつきを防止することができ、各制御手段における初期化（主演算処理手段及び副演算処理手段の初期化）を一括で共通に初期化することができる。
【００１６】
さらに、各制御手段における演算初期化手段（主演算初期化手段及び副演算初期化手段）によって、電源監視手段より出力される初期化信号または演算処理監視手段（主演算処理監視手段及び副演算処理監視手段）より出力される初期化信号に基づいて、それぞれの演算処理手段が初期化されるので、それぞれの制御手段における演算処理手段の暴走などの誤動作を各制御手段単位で復旧することができる。
【００１７】
従って、電源投入時の各制御基板の初期化タイミングがずれることなく、各制御手段を個別に初期化することができると共に、各制御手段における演算処理手段の誤動作に即座に対応することができる
なお、各制御手段における演算初期化手段（主演算初期化手段及び副演算初期化手段）は、ＯＲ回路によって実現可能である。
さらに、スイッチは、主演算処理手段から出力される命令信号に応じた副演算処理手段の賞球払出装置に対する制御によるパチンコ球の払い出しを検出して、検出信号を主演算処理手段に出力する。例えば、主演算処理手段から賞球する命令が行われた場合には、賞球数等をスイッチで検出して検出結果を主演算処理手段に出力する。
そして、主演算処理手段が、スイッチから出力される検出信号に基づいて、命令信号に応じた副演算処理手段による制御を監視する処理を行って、副演算処理手段が、主演算処理監視手段より出力される初期化信号に基づいて、副演算処理手段による制御を一時中断し、主演算処理手段の初期化の終了と共に、副演算処理手段による制御を再開することにより、主演算処理手段が正常に機能せずに初期化を行なっている場合には、副演算処理手段による制御が一時中断されるので、主演算処理手段より出力される命令信号と副演算処理手段で行なわれている制御とが対応がとれなくなってしまうことを防止することができる。
【００１８】
請求項２に記載の発明は、請求項１に記載の発明において、前記電源監視手段より出力される初期化信号の出力タイミングを、前記主演算初期化手段への出力タイミングと前記副演算初期化手段への出力タイミングとで調整するタイミング調整手段をさらに備えることを特徴としている。
【００１９】
請求項２に記載の発明によれば、請求項１に記載の発明において、タイミング調整手段をさらに備えることにより、電源監視手段より出力される初期化信号の出力タイミングを、主演算初期化手段と副演算初期化手段とで異なるように調整することが可能となり、副演算初期化手段よりも遅いタイミングになるように、主演算初期化手段への電源監視手段より出力される初期化信号の出力タイミングを調整することにより、副演算処理手段の初期化が先になされるので、副制御手段の副演算処理手段が初期化中であるのに、主制御手段の主演算処理手段より前記命令信号が出力され、副制御手段で該命令信号を受信することができずに取りこぼしてしまう事態を防止することができる。
【００２０】
なお、タイミング調整手段としては、請求項３に記載の発明のように、副演算初期化手段への電源監視手段からの初期化信号の出力タイミングよりも主演算初期化手段への電源監視手段からの初期化信号の出力タイミングが遅れるようにタイミングを遅延する遅延手段を用いるようにしてもよい。
【００２１】
請求項４に記載の発明は、請求項１乃至請求項３の何れか１項に記載の発明において、前記主演算処理手段は、前記スイッチからの検出信号に基づいて賞球数の監視制御を行うことを特徴としている。
【００２２】
請求項４に記載の発明によれば、請求項１乃至請求項３の何れか１項に記載の発明において、主演算処理手段は、スイッチからの検出信号に基づいて賞球数の監視制御を行うようにしてもよい。
【００２５】
【発明の実施の形態】
図１には、本実施の形態に係るパチンコ機１１０が示されている。このパチンコ機１１０は、矩形の枠体１１３でその外形が構成されており、店側のベース面１１５に支持されている。また、枠体１１３には、装飾版１１３Ａ、スピーカ１６２、キーシリンダ１１３Ｂ等が配設されている。
【００２６】
枠体１１３の内側正面には、透明ガラス板１１０Ａがガラス枠１１０Ｂに嵌め込まれた状態で配設されている。この透明ガラス板１１０Ａで仕切られた内側領域には、遊技盤１１１が配設されている。また、この遊技盤１１１における円弧状のレール１１２で囲まれた領域が遊技領域であるゲージ部１１４とされている。
【００２７】
図２に示される如く、ゲージ部１１４には、全面に渡って複数の釘１１６が打ち込まれ、レール１１２を通って打ち出されたパチンコ球がこの釘１１６に当たって跳ねたり、釘１１６によって形成される案内路に案内されながら、落下していくようになっている。また、この釘１１６の他、ゲージ部１１４に向かって左右対称の位置には、風車１１８が取り付けられており、パチンコ球を予期しない方向へ方向転換させるようになっている。
【００２８】
さらに、ゲージ部１１４には複数の位置に入賞口１２０が設けられ、この入賞口１２０にパチンコ球が入ることにより、所定数のパチンコ球が遊技者に払い出されるようになっている。
【００２９】
このようなゲージ部１１４は、ほぼ左右対称系とされており、この中央部には図柄表示装置としての電動役物ユニット１２２が配置され、その表示部１２４が露出されている。この表示部１２４の下方には電動役物ユニット１２２を始動するための特別図柄始動入賞口１２６が設けられている。
【００３０】
特別図柄始動入賞口１２６のさらに下方には、大入賞口１２８が配置され、この大入賞口１２８を開閉する開閉部材１２９は、前記電動役物ユニット１２２での所謂当りの表示状態で所定時間開放され、大量のパチンコ球を入賞させることができる構成となっている。
【００３１】
なお、この特別図柄始動入賞口１２６に入賞したパチンコ球は、最大４球分保留され、電動役物ユニット１２２による抽選結果の案内が終了した時点で、保留された分が消化されるようになっている。
【００３２】
また、ゲージ部１１４には、普通図柄始動入賞口１３０が設けられおり、普通図柄始動入賞口１３０にパチンコ球が入賞すると、図示しない普通図柄表示部の表示が変動し、所定当り数字になると、前記特別図柄始動入賞口１２６に設けられた可動部としての電動チューリップ１３４が所定時間開放するようになっている。この電動チューリップ１３４の開放により、特別図柄始動入賞口１２６への入賞の確率が物理的に高まることになる。
【００３３】
図１に示される如く、上記ゲージ部１１４の下部、すなわち、透明ガラス板１１０Ａの下部は、パネル部１４０とされ、その上部パネル１４０Ａには上皿１４１が設けられ、下部パネル１４０Ｂには、発射装置の操作部としてのハンドル１３６と、上皿１４１から落下するパチンコ球を受ける下皿１３８とが設けられている。なお、下部パネル１４０Ｂには、灰皿１４３も設けられている。
【００３４】
ハンドル１３６は、前記パネル１４０の内部から突出された回転軸に取付けられており、この回転軸を中心に回転可能とされている。すなわち、遊技者がこのハンドル１３６を把持して回転することで、発射装置が稼動すると共に、前記回転角度に基づいて発射強度が設定されるようになっている。なお、この回転には、復帰付勢力が付与されており、遊技者が手を離すと自動的に元の回転位置に戻る構造となっている。
【００３５】
図３には、パチンコ遊技機の各種制御を行なう制御系のブロック図を示す。図３に示すように、パチンコ遊技機の制御系には、各種制御基板内部で使用する各種電源（例えば、ＤＣ２４Ｖ、ＤＣ１２Ｖ、ＤＣ５Ｖ、停電時用バックアップ電源等）を生成し、生成した電源を供給する電源ユニット１０が設けられており、各種制御基板に電源が供給されるように構成されている。
【００３６】
電源ユニット１０には、上記電源を生成するためのＡＣ２４Ｖ電源を得るための電源プラグ１２が設けられ、該電源プラグ１２から得られるＡＣ２４Ｖ電源から上記各種電源が生成されるようになっている。さらに電源ユニット１０には、パチンコ遊技機の動作の開始／停止を行なう電源スイッチ１４が接続されており、該電源スイッチ１４によってパチンコ遊技機の動作の開始／停止が行なわれるようになっている。
【００３７】
電源ユニット１０には、さらに、電源監視回路１６が設けられており、電源スイッチ１４がオンすると電源監視回路１６より各制御基板へパワーオン・リセット信号が出力されるようになっている。
【００３８】
電源ユニット１０に接続された各種制御基板は、図３に示すように、主制御基板２０を中心として、払出制御基板２２、図柄表示制御基板２４、ランプ制御基板２６、音声制御基板２８等、機能毎に分類された各種制御基板が接続されている。なお、以下、払出制御基板２２、図柄表示制御基板２４、ランプ制御基板２６、音声制御基板２８等の制御基板を総称する場合、副制御基板３０という。
【００３９】
また、主制御基板２０は本発明の主制御手段に相当し、副制御基板３０は本発明の副制御手段に相当する。
【００４０】
また、主制御基板２０並びに副制御基板３０は、図示しない管理制御基板を介してパチンコ店側のホールコンピュータに接続することにより、パチンコ遊技機の可動状況を管理することも可能となっている。
【００４１】
主制御基板２０には、遊技に関する基本的なプログラムが記憶されており、この主制御基板２０からの命令信号（例えば、図３に示す音声コマンド、ランプコマンド、図柄表示コマンド、払出コマンド等）に基づいて、その他の副制御基板３０が独自に各機能を実行する。すなわち、主制御基板２０は基本的に命令を出力するのみで、その結果等のフィードバックは受けない構成となっている。
【００４２】
払出制御基板２２は、パチンコ遊技機の払い出し数を制御するものであり、音声制御基板２８は、パチンコ遊技機に設けられたスピーカ１６２からの効果音等の出力を制御する。また、ランプ制御基板２６は、パチンコ遊技機に取り付けられた電飾部材の点灯・消灯を制御する。
【００４３】
図柄表示制御基板２４は、主制御基板２０からの命令信号に基づいて、所定の演出効果をもたらす表示を実行する。なお、この図柄表示制御基板２４は、普通図柄表示部も制御する。
【００４４】
主制御基板２０及び副制御基板３０のそれぞれの制御基板には、ＣＰＵ３２が設けられており、各ＣＰＵ３２によって上述の各制御基板毎の制御がなされるようになっている。各ＣＰＵ３２にはそれぞれＣＰＵ３２の動作を監視する監視回路３４が接続されており、ＣＰＵ３２から監視回路３４に定期的な信号が出力されるようになっている。
【００４５】
なお、主制御基板２０におけるＣＰＵ３２が本発明の主演算処理手段に相当し、主制御基板２０における監視回路３４が本発明の主演算処理監視手段に相当し、副制御基板３０におけるＣＰＵ３２が本発明の副演算処理手段に相当し、副制御基板３０における監視回路３４が本発明の副演算処理監視手段に相当する。
【００４６】
監視回路３４は前記定期的な信号を監視し、該信号が途絶えたりまたは、間延びした場合にリセット信号を送出するようになっており、該リセット信号は、ＯＲ回路３６の入力側に接続されており、ＯＲ回路３６を介してＣＰＵ３２のリセット端子に接続されている。なお、主制御基板２０におけるＯＲ回路３６が本発明の主演算初期化手段に相当し、副制御基板３０におけるＯＲ回路３６が本発明の副演算初期化手段に相当する。
【００４７】
また、それぞれの副制御基板３０におけるＯＲ回路３６の入力側には、さらに電源監視回路１６が接続され、主制御基板２０については、タイミング調整手段３８を介して電源監視回路１６がＯＲ回路３６の入力に接続されている。
【００４８】
ところで、電源ユニット１０から出力される各種電源ラインは電流を多く流す必要があるため、電源ユニット１０の各接続は、電流に耐えうる太いピン径を有するコネクタを用いる必要がある。また、これに対してリセット信号は微小電流しか流さないため、電源ユニット１０と同じピン径のコネクタを用いたのでは、接触不良を引き起こす可能性がある。そこで、本実施の形態では、リセット信号の信頼性を確保するために電源ラインとリセット信号用のラインとの接続を異なるコネクタを用いており、図４に示すように、電源ユニット用のコネクタ４０は、電源ユニット１０から出力される電流に対応した太いピン径を有する電源ユニット用コネクタ４０を用られ、リセット信号用のコネクタ４２は、リセット信号の微小電流に対応した細いピン径を有するリセット信号用コネクタ４２が用いられている。
【００４９】
以下に本実施の形態の作用を説明する。
【００５０】
パチンコ遊技機の電源スイッチ１４が投入されると、電源ユニット１０内部の電源監視回路１６より各制御基板へパワーオン・リセット信号が出力される。パワーオン・リセット信号は、各制御基板内のＯＲ回路３６を介して各ＣＰＵ３２のリセット端子へ同じタイミングで入力される。各ＣＰＵ３２は、パワーオン・リセット信号を受けてそれぞれのＣＰＵ３２が初期化され、その後各ＣＰＵ３２は所定のプログラムに従って動作が開始される。
【００５１】
ここで、主制御基板２０には、タイミング調整回路３８を介してパワーオン・リセット信号が入力されるが、タイミング調整回路３８で主制御基板２０に入力されるパワーオン・リセット信号の入力タイミングを調整、例えば、副制御基板３０に対して一番最後に入力するようにタイミングを調整することにより、主制御基板２０から送出されるコマンドを副制御基板３０が受信できずに取りこぼしてしまうことを防止することがなくなり、パチンコ遊技機全体を正常に動作させることができる。
【００５２】
また、各制御基板の監視回路３４では、各ＣＰＵ３２から出力される定期的な信号の監視が行なわれる。そして、各制御基板の監視回路３４では、該定期的な信号が途絶えたり又は、間延びした場合には、ＯＲ回路３６を介してリセット信号が各ＣＰＵ３２のリセット端子に出力され、これによって各ＣＰＵ３２の初期化が行なわれる。すなわち、不正行為がパチンコ遊技機に対して行なわれたり、ＣＰＵ３２が暴走した場合には、ＣＰＵ３２から出力される定期的な信号が途絶えたり、間延びしたりするので、監視回路３４が定期的な信号を監視することにより、パチンコ遊技機に対する不正行為やＣＰＵ２３２の暴走等の誤動作に対して迅速に対応することができる。
【００５３】
すなわち、本実施の形態では、電源ユニット１０に主制御基板２０及び副制御基板３０ともに共通の電源監視回路１６を設けると共に、各制御基板のＣＰＵ３２からの定期的な信号の監視を行なう監視回路３４を各制御基板に設け、各制御基板において、電源監視回路１６又は監視回路３４の何れかよりリセット信号がＣＰＵ３２に入力されたときに、各制御基板の初期化を行なうようにすることにより、各制御基板毎にリセットタイミングがばらつくことなく、各制御基板のＣＰＵ３２の誤動作の監視を独立に行なうことができるようになる。
【００５４】
また、本実施の形態では、電源ユニット用のコネクタ４０に用いるピン径と、リセット信号用のコネクタ４２に用いるピン径をそれぞれに応じたピン径とすることにより、接触不良等を招くことなく、リセット信号の信頼性を確保することができる。
【００５５】
なお、主制御基板２０と払出制御基板３０は、詳細には図５に示すように構成されている。すなわち、上記の実施の形態に対して、主制御基板２０の監視回路３４から出力されるリセット信号を払出制御基板２２のＣＰＵ３２に入力し、主制御基板２０のＣＰＵ３２よりリセット信号が出力された場合に、払出制御基板２２による払出制御を一旦中断するように構成する。なお、払出制御基板２２には、賞球払出ソレノイド４４が接続されており、主制御基板２０より送出される払出コマンドに応じて賞球払出ソレノイド４４を駆動し、払出コマンドに対応する数の賞球を遊技者へ払い出すようになっていると共に、賞球計数スイッチ４６が払出制御基板２２のＣＰＵ３２及び主制御基板２０のＣＰＵ３２に接続されており、払い出された球をカウントする度にカウント信号を主制御基板２０及び払出制御基板２２の双方へ送出するようになっている。
【００５６】
このように構成することにより、主制御基板２０では、盤面に設けられた入賞口（入賞口１２０、特別図柄始動入賞口１２６等を含む入賞口）によりパチンコ球の入賞を検出すると、入賞した入賞口に対応する払出数を表す払出コマンドが払出制御基板２２に送出され、払出制御基板２２では、払出コマンドを受けて払出が可能な状態の場合、払出制御基板２２のＣＰＵ３２に接続された払出ソレノイド４４を駆動し、主制御基板２０から送られた払出コマンドに対応する数のパチンコ球の賞球を遊技者へ払い出す。
【００５７】
例えば、主制御基板２０が１０個賞球の入賞口への入賞を検出したら払出制御基板２２へ１０個賞球を表す払出コマンドを送出し、払出コマンドを受信した払出制御基板２２では、図示しない賞球払出装置内の賞球払出ソレノイド４４を駆動してパチンコ球の払い出しを開始する。賞球計数スイッチ４６はこの払い出しされたパチンコ球をカウントする度にカウント信号を主制御基板２０及び払出制御基板２２の双方へ出力する。払出制御基板２２では、賞球計数スイッチ４６からのカウント信号を１０回受けると１０個のパチンコ球を払い出したと判断して賞球払出ソレノイド４４の駆動を停止してパチンコ球の払い出しを終了する。
【００５８】
そして、主制御基板２０では、自分が送信した払出コマンド通りにパチンコ球の払い出しが成されているかを賞球計数スイッチ４６からの信号により監視し、誤差が発生した場合、エラーを盤面上のランプ等を用いて報知する。このエラー報知により店側は不正行為の発見や、賞球払出装置の故障等の発見に役立てることができる。
【００５９】
さらに、パチンコ球の払い出しの最中に主制御基板２０が暴走する場合も考えられるが、その場合には主制御基板２０の監視回路３４によってリセット信号が出力される。これによって、主制御基板２０が初期化される。また、主制御基板２０の監視回路３４より出力されるリセット信号は、払出制御基板２２のＣＰＵ３２にも出力され、払出制御基板２２では、主制御基板２０のＣＰＵ３２が暴走を始めてから、リセットされて正常に動作を始めるまでの間は、払出制御が一時中断される。そして、主制御基板２０の監視回路３４より出力されるリセット信号が途絶えたら、払出制御基板２２では、主制御基板２０のＣＰＵ３２が正常に復帰したと判断され、パチンコ球の賞球が再開される。
【００６０】
従って、上記の実施の形態に対して、主制御基板２０の監視回路３４から出力されるリセット信号を払出制御基板２２のＣＰＵ３２に入力するようにすることにより、主制御基板２０のＣＰＵ３２が暴走を始めてからリセットされて正常に動作を始めるまでの間、賞球計数スイッチ４６からの信号を処理できず払出制御基板２２との間にパチンコ球の計数誤差を生じるのを防止することができ、ホール側も誤差発生の原因究明等に無駄な労力を割かずにすむようになる。
【００６１】
なお、上記の実施の形態では、電源ユニット１０の電源監視回路１６から出力されるパワーオン・リセット信号は、タイミング調整手段３８を介して主制御基板２０のＯＲ回路３６に入力し、タイミング調整回路３８により、パワーオン・リセット信号の入力を副制御基板３０の各制御基板に対して主制御基板２０が一番最後に入力するように調整したが、図６に示すように、タイミング調整手段３８としては、遅延回路５０を用いるようにしてもよい。すなわち、図３及び図５に示すタイミング調整回路３８に代えて遅延回路５０を設け、パワーオン・リセット信号が所定時間、副制御基板３０のそれぞれの制御基板よりも遅れて入力されるようにすることにより、上記の実施の形態と同様に、主制御基板２０から送出されるコマンドを副制御基板３０が受信できずに取りこぼしてしまうことを防止することができ、パチンコ遊技機全体を正常に動作させることができる。
【００６２】
【発明の効果】
以上説明したように本発明によれば、電源監視手段を各制御手段から独立させて共通にし、各制御手段の演算処理手段を監視する演算処理監視手段を各制御手段に設け、各制御手段において、電源監視手段または演算処理監視手段より出力される初期化信号に基づいて、演算初期化手段によって演算処理手段を初期化することにより、電源投入時の各制御基板の初期化タイミングがずれることなく、各制御手段を個別に初期化することができると共に、各制御手段における演算処理手段の誤動作に即座に対応することができる、という効果がある。
【図面の簡単な説明】
【図１】本発明の実施の形態に係るパチンコ遊技機の正面図である。
【図２】本発明の実施の形態に係るゲージ部の正面図である。
【図３】本発明の実施の形態に係るパチンコ遊技機の各種制御を行なう制御系の概略を示すブロック図である。
【図４】電源ユニット用コネクタとリセット信号用コネクタを示す図である。
【図５】主制御基板と払出制御基板のその他の構成を示すブロック図である。
【図６】主制御基板におけるタイミング調整手段の一例を示すブロック図である。
【符号の説明】
１０    電源ユニット
１４    電源スイッチ
１６    電源監視回路
２０    主制御基板
２２    払出制御基板
２４    図柄表示制御基板
２６    ランプ制御基板
２８    音声制御基板
３０    副制御基板
３２    ＣＰＵ
３４    監視回路
３６    ＯＲ回路
３８    タイミング調整手段
４０    電源ユニット用コネクタ
４２    リセット信号用コネクタ
５０    遅延回路
【図１】
0003990117.tif 000002
【図２】
0003990117.tif 000003
【図３】
0003990117.tif 000004
【図４】
0003990117.tif 000005
【図５】
0003990117.tif 000006
【図６】
0003990117.tif 000007